(57)【特許請求の範囲】
【請求項１】
隣接する屋根瓦との重なり部分に形成される留付け用釘孔又は留付け用ビス孔のうちの少なくとも一つを、その孔軸心が瓦上面に対して軒側に向けて倒れる状態に傾斜させ、
前記留付け用釘孔を通して打ち付けられる釘頭部、又は前記留付け用ビス孔を通して螺着されるビス頭部が面接触する座面を、前記孔軸心に対して直交又はほぼ直交する状態に形成してある屋根瓦。
【請求項２】
隣接する屋根瓦との合決り部における下側合決り部分に留付け用釘孔又は留付け用ビス孔を形成し、該留付け用釘孔又は留付け用ビス孔を、その孔軸心が瓦上面に対して軒側に向けて倒れる状態に傾斜させ、
前記留付け用釘孔を通して打ち付けられる釘頭部、又は前記留付け用ビス孔を通して螺着されるビス頭部が面接触する座面を、前記孔軸心に対して直交又はほぼ直交する状態に形成してある屋根瓦。
【請求項３】
隣接する屋根瓦との重なり部分に、その孔軸心が瓦上面に対して軒側に向けて倒れる状態に傾斜する留付け用釘孔又は留付け用ビス孔を穿孔するための位置決め用凹部が形成され、
前記瓦上面に対して棟側に隆起するまたは軒側に倒れるように傾斜し、前記留付け用釘孔を通して打ち付けられる釘頭部、又は前記留付け用ビス孔を通して螺着されるビス頭部が面接触する座面を形成してある屋根瓦。
【発明の詳細な説明】
【０００１】
【発明の属する技術分野】
本発明は、屋根瓦の野地板への固定手段に係り、詳しくは、施工後における損傷屋根材の新品屋根材への交換作業を簡単化しながらも、交換後の屋根材をしっかりと野地板に固定できるようにする技術に関するものである。
【０００２】
【従来の技術】
従来の屋根材は、上側の屋根材が重ねられる部分である上端側（棟側）において野地板や横桟に釘打ちするのが一般的な固定手段であった。つまり、屋根材は最も下側（軒側）のものから上側（棟側）へという順番で屋根に施工して行くに好適なものであり、施工後には留め釘が一切見えないように屋根材どうしが重ねられ、良好な外観を呈するようにされている。この場合には、図３（イ）に示すように、瓦面に対して直交する方向に釘打ちされる。
【０００３】
【発明が解決しようとする課題】
例えば、台風による被害や屋根上歩行等によって屋根材が破損したために、正常な屋根材に交換することを考えた場合、交換後の屋根材を新設時のようにしっかりとは固定し難い状況があった。即ち、前述したように、通常、留め釘は屋根材の面に対して直交する方向に打ち込まれているので、その上に上側の屋根材が重なっている施工済みの状態では、先ず、打込まれた留め釘を抜き出せないことから、バール等を用いて留め釘をせん断破断させることにより、損傷している屋根材を抜き出して除去する。
【０００４】
それから、新品等の正常な屋根材を損傷屋根材の嵌まっていた位置に差し入れて、その屋根材上端部（瓦尻）を横桟に引掛ける正規の位置に挿入しただけの状態で良しとするか、或いは、もう少し強固に敷設したい場合には、屋根材上端部や合決り部に接着剤を塗って差し込む手段が採られることがあったが、いずれにしても上側の屋根材が邪魔になって釘打ちできないものであり、屋根を葺くときのように釘打ちしてしっかりと固定することができない点で改善の余地が残されているものであった。
【０００５】
本発明の目的は、屋根材の構造工夫により、屋根材敷設後における交換時等において、交換後の屋根材を、新しい屋根の施工時と同様にしっかりと固定できるようにする点にある。
【０００６】
【課題を解決するための手段】
〔構成〕
請求項１の構成は、図１〜図３に例示する如く、屋根瓦１において、隣接する屋根瓦１との重なり部分に形成される留付け用釘孔又は留付け用ビス孔４ａ，５ａ，６ａのうちの少なくとも一つ５ａを、その孔軸心Ｐが瓦上面１ａに対して軒側に向けて倒れる状態に傾斜させ、留付け用釘孔５ａを通して打ち付けられる釘頭部１０ａ、又は留付け用ビス孔を通して螺着されるビス頭部が面接触する座面５ｚを、孔軸心Ｐに対して直交又はほぼ直交する状態に形成してあることを特徴とする。
【０００７】
請求項１の構成によれば、隣接する屋根瓦との重なり部分に形成される留め付け用釘孔のうちの少なくとも一つを、その孔軸心が瓦上面に対して軒側に向けて倒れる状態に傾斜させてあるので、例えば、棟側にて重なる上側の瓦を少し持ち上げるだけで、この上側の瓦の存在しない範囲に釘又はビスの打込み方向を設定することが可能になる。従って、損傷した瓦を正常な瓦に取り換える際に、その交換後の瓦を釘又はビスを用いてしっかりと固定することが可能になるとともに、その補修等に用いた留め釘やビスを外観上で見えないようにできる。
【０００８】
また、打ち付けた釘の頭部や螺着されたビスの頭部が瓦に対して面接触する状態になり、安定良く瓦を押さえ付けて固定できるようになる。例えば、座面が孔軸心に対して傾斜していたり、明確な座面が存在しない場合には、瓦を安定して押し付け固定でき難いとともに、釘頭部やビス頭部の一部分で瓦を押し付けて欠損させるおそれや、釘やビスに余計な曲げモーメントが作用するといった不都合が生じるが、本請求項１によれば、そのような不都合が回避されるようになる。
【０００９】
請求項２の構成は、図４、図５に例示する如く、屋根瓦１５において、隣接する屋根瓦１５との合決り部ｋにおける下側合決り部分１７に留付け用釘孔又は留付け用ビス孔１８ａを形成し、該留付け用釘孔又は留付け用ビス孔１８ａを、その孔軸心が瓦上面１５ａに対して軒側に向けて倒れる状態に傾斜させ、留付け用釘孔５ａを通して打ち付けられる釘頭部１０ａ、又は留付け用ビス孔を通して螺着されるビス頭部が面接触する座面１８ｚを、孔軸心に対して直交又はほぼ直交する状態に形成してあることを特徴とする。
【００１０】
請求項２の構成によれば、厚板瓦等においては左右方向で重なり合う部分に合決り部を設けるようになり、左右一方の端部には下側合決り部分を、かつ、他方の端部には上側合決り部分を夫々形成することにより、左右に隣合う瓦どうしの間に良好に合決り部を構成することができるようになっている。しかして、下側合決り部分に形成される釘孔又はビス孔を、その孔軸心が瓦上面に対して軒側に向けて倒れる状態に傾斜させてあるので、上側合決り部分を有する瓦を少し持ち上げるだけで、この上側の瓦の存在しない範囲に釘打込み方向を設定することが可能になる。
【００１１】
故に、損傷した瓦を正常な瓦に取り換える際に、その交換後の瓦を釘打ちできるので、しっかりと固定することが可能になる。合決り部は瓦の棟と軒とを結ぶ方向（上下方向）に亘って存在することが多いから、瓦をその下半分又は下端部において釘打ち固定することで、上端部のみ留める場合に比べて、よりしっかりと固定することが可能になる。又、その留め釘や留めビスを外観上で見えないようにできる点も好ましい。
【００１２】
また、打ち付けた釘の頭部や螺着されたビスの頭部が瓦に対して面接触する状態になり、安定良く瓦を押さえ付けて固定できるようになる。例えば、座面が孔軸心に対して傾斜していたり、明確な座面が存在しない場合には、瓦を安定して押し付け固定でき難いとともに、釘頭部やビス頭部の一部分で瓦を押し付けて欠損させるおそれや、釘やビスに余計な曲げモーメントが作用するといった不都合が生じるが、本請求項２によれば、そのような不都合が回避されるようになる。
【００１３】
請求項３の構成は、図７〜図９に例示する如く、屋根瓦において、隣接する屋根瓦２２との重なり部分に、その孔軸心Ｐが瓦上面２２ａに対して軒側に向けて倒れる状態に傾斜する留付け用釘孔２４又は留付け用ビス孔を穿孔するための位置決め用凹部２５が形成され、前記瓦上面２２ａに対して棟側に隆起するまたは軒側に倒れるように傾斜し、留付け用釘孔２４を通して打ち付けられる釘頭部１０ａ、又は留付け用ビス孔を通して螺着されるビス頭部が面接触する座面２２ｚを形成してあることを特徴とする。
【００１４】
請求項３の構成によれば、次のような作用がある。前述したように、孔軸心が瓦上面に対して軒側に向けて倒れる状態に傾斜する釘孔又はビス孔を、隣接する屋根瓦との重なり部分に形成すれば、損傷した瓦を正常な瓦に取り換える際に、その交換後の瓦を釘又はビスを用いてしっかりと固定することができるが、実際に屋根瓦の交換が必要となる確率はそう高くないので、予め形成された傾斜孔は、殆どの場合は無駄になることが予測される。加えて、台風や豪雨といった厳しい条件下では、瓦頭よりも瓦尻に寄った箇所にある釘孔やビス孔から水が下方に滲入するという新たな不都合のおそれが生じる。
【００１５】
そこで、隣接する屋根瓦との重なり部分に、その孔軸心が瓦上面に対して軒側に向けて倒れる状態に傾斜する留付け用釘孔又は留付け用ビス孔を穿孔するための位置決め用凹部を形成しておくようにすれば、実際に交換された屋根瓦にだけ、位置決め用凹部を用いることで現場にて釘孔又はビス孔を、正確に設定箇所に傾斜した孔を形成することができる。従って、請求項１の構成による前記作用を得ることを可能としながら、釘孔やビス孔が不必要な屋根瓦にまで形成することによる前述の不都合を回避できるようになる。
【００１６】
また、打ち付けた釘の頭部や螺着されるビスの頭部が瓦に対して面接触する状態になり、安定良く瓦を押さえ付けて固定できるようになる。そして、座面は、瓦表面に凹部や凸部を設けることで形成でき、貫通させるような処理は行われないから、座面を形成したことによる新たな不都合は生じない。
【００１７】
尚、上述のように、図面との対照を便利にするために符号を記したが、該記入により本発明は添付図面の構成に限定されるものではない。
【００１８】
【発明の効果】
請求項１に記載の屋根瓦では、隣合う屋根材との重なり部に釘孔を斜めに向けて形成する工夫により、上側に重なる瓦を無理の無い程度に持ち上げることで、
その下側に敷かれる屋根瓦を外観上で見えない位置において釘打ち固定することが可能になり、コストアップや部品点数の増加を招くこと無く、屋根の新設時や補修時を問わずにしっかりと固定することができた。又、打ち込まれた釘や螺着されたビスの頭部が座面に面接触するようになり、釘やビスが曲がるとか、瓦面に傷付ける等の不都合無く、安定的に交換後の屋根瓦を固定できるようになった。
【００１９】
請求項２に記載の屋根瓦では、隣合う屋根材との合決り部に釘孔を斜めに向けて形成する工夫により、左右方向で重なる瓦を無理の無い程度に持ち上げることで、外から見えない部分である下側合決り部分において釘打ち固定することが可能になり、コストアップや部品点数の増加を招くこと無く、屋根の新設時や補修時を問わずにしっかりと固定することができた。又、打ち込まれた釘や螺着されたビスの頭部が座面に面接触するようになり、釘やビスが曲がるとか、瓦面に傷付ける等の不都合無く、安定的に交換後の屋根瓦を固定できるようになった。
【００２０】
請求項３に記載の屋根瓦では、請求項１の構成による前記効果が得られる釘孔又はビス孔を形成するための位置決め用凹部を形成したので、現場にてのドリリングによる孔形成が行い易い便利さがあるとともに、交換された屋根瓦以外の屋根瓦には釘孔又はビス孔が存在しないから、水が下方に滲入するといった不要な孔が存在することによる不都合が回避される利点があり、合理的なものとして提供することができた。又、釘頭部やビス頭部と瓦とが面接触してより安定的に屋根瓦を固定できる利点がある。
【００２１】
【発明の実施の形態】
−第１実施形態−
図１に屋根瓦である厚板瓦１を敷設して成る屋根Ｙが示されている。この屋根
Ｙは、厚板瓦１を左右方向には隙間無く敷き詰め、かつ、棟と軒とを結ぶ上下方向には重ね合せて葺いて行く一般的な敷設工法によって作成されている。つまり、下側の厚板瓦１の瓦尻１Ａに、上側の厚板瓦１の瓦頭１Ｂが重なる状態に、軒側から棟側に向けて順番に葺いて行くのである。
【００２２】
図１、図２に示すように、厚板瓦１の瓦尻１Ａには、野地板１２上に固定された横桟７に引掛けるための下方突起部２、上側に重なる厚板瓦１を載置するべく瓦上面１ａから一段上方に厚く形成された受止め部３、及びこの受止め部３に続いてその軒側に連続形成された左右３箇所の引掛け部４，５，６が形成されている。
【００２３】
図３（イ）に示すように、左右２箇所の第１及び第３引掛け部４，６には、横桟７に向けて留め釘１０を打込むための第１及び第３釘孔４ａ，６ａを、瓦面（瓦上面１ａ又は瓦裏面１ｂ）に対して直交する方向に形成してある。これに対して左右中間に配置された第２引掛け部５は、釘頭１０ａの接当する座面５ｚが瓦上面１ａに対して角度αで後上り（棟側上り）する傾斜面となるように隆起させてあり、その傾斜した座面５ｚに直交する方向の釘孔５ａをその座面５ｚに形成してある。つまり、図３（ロ）に示すように、第２釘孔５ａは、その孔軸心Ｐが瓦上面１ａに対して軒側に向けて傾斜角度αでもって倒れる状態に設定されている。
【００２４】
ところで、厚板瓦１の瓦頭１Ｂは、下側で隣合う厚板瓦１の瓦尻１Ａに載置される載置部８として機能するとともに、厚板瓦１の大部分は載置部８よりも上方に引っ込んだ凹部１１に形成してある。この凹部１１は、下側に重ねられる厚板瓦１の第２引掛け部５との干渉が生じないよう、十分な深さが取られている。
【００２５】
次に、既設の屋根Ｙにおける厚板瓦１の交換作業について説明する。他物が当たる等によって割れたり欠けたりして厚板瓦１が損傷した場合には、その損傷瓦１のみを、正規（新品でも正常な状態の中古品でも良い）の厚板瓦１に交換する
ことが行われる。その交換作業は次の通りである。
【００２６】
先ず、損傷瓦１を、その瓦頭１Ｂを少し持ち上げ、バール等を横桟７と瓦裏面１ｂとの間に差し込み、両側２本の留め釘１０を強制的に切断（せん断破壊）してから軒方向に引張ることにより、損傷瓦１を抜き出す。次に、正規の厚板瓦１を損傷瓦の抜き出された後の瓦欠損箇所に挿入し、瓦尻１Ａの下方突起部２を横桟７に引掛けた正規の配置状態にセットする。このセット状態では、３箇所の釘孔４ａ，５ａ，６ａは上側の厚板瓦１の瓦頭１Ｂの下にあり、新たに釘打ちすることができない。
【００２７】
そこで、図２に仮想線で示すように、上側の厚板瓦１を、その瓦頭１Ｂを持って無理の無い範囲で上方に持ち上げると、傾斜した座面５ｚを有した第２釘孔５ａは、持ち上げられた上側の厚板瓦１に干渉しない方向に向いている状態が得られるので、ハンマー１４で釘打ちを行うことが可能である。つまり、交換後の厚板瓦１は、第２引掛け部５部分の１箇所において横桟７（又は野地板１２）に釘打ち固定されるのである。尚、屋根材１の敷設当初に３箇所の釘孔４ａ，５ａ，６ａに釘打ちさせておいても良い。
【００２８】
−第２実施形態−
図４〜図６に、左右に隣合う瓦どうしによって合決り部ｋが形成されるように設定された厚板瓦１５、およびそれによる屋根Ｙが示されている。この厚板瓦１５の左右一端に上側合決り部分１６が、他端に下側合決り部分１７が夫々形成してあり、隣合う厚板瓦１５，１５の一方の下側合決り部分１７に他方の上側合決り部分１６が被さることで合決り部ｋが構成される。
【００２９】
側方に突出する状態の下側合決り部分１７は、先端に一段上方に厚くした流れ止め部１８が形成してある。その流れ止め部１８における軒側端に近い箇所に、瓦上面１５ａに対して角度βで後上り（棟側上り）する傾斜面となるように隆起させた座面１８ｚを形成し、かつ、座面１８ｚと直交する方向の釘孔１８ａを座
面１８ｚに形成してある。つまり、下側合決り部分１７に留め付け用釘孔１８ａを形成するとともに、この釘孔１８ａを、その孔軸心Ｐが屋根瓦１５の上面１５ａに対して軒側に向けて傾斜角度βでもって倒れる状態に設定してある。
【００３０】
図６に示すように、側方に突出する状態の上側合決り部分１６の先端には、一段下方に厚くした引掛け部１９が形成してあり、合決り部ｋにおいては、引掛け部１９と流れ止め部１８との間における下側合決り部分１７上が水の流れ道として機能するように構成されている。尚、瓦尻１５Ａにおける引掛け部２１に形成されている２箇所の釘孔２０，２０は、瓦上面１５ａに対して直交する方向に空けられている。又、上側合決り部分１６には、流れ止め部１８との干渉を回避するための肉ぬすみ部１３を形成してある。
【００３１】
しかして、上側の厚板瓦１５を、図２の仮想線で示す状態と同様に、その瓦頭１５Ｂを持って無理の無い範囲で上方に持ち上げると、傾斜した座面１８ｚを有した釘孔１８ａは、持ち上げられた上側の厚板瓦１に干渉しない方向に向いている状態が得られるので、ハンマー１４で野地板１２目掛けて留め釘１０を打込めるようになっている。よって、図５に示すように、野地板１２部分に対して釘止めすることが可能になる。
【００３２】
−第３実施形態−
図７〜図９に、隣接する屋根瓦２２との重なり部分に、その孔軸心Ｐが瓦上面２２ａに対して軒側に向けて倒れる状態に傾斜する留付け用釘孔（又は留付け用ビス孔）２４を穿孔するための位置決め用凹部２５が形成された屋根瓦２２が示されている。この屋根瓦２２は、第２釘孔５ａに代えて凹部２５が形成されている以外は、図１に示す第１実施形態のものと基本的には同じものであり、以下、相違点について説明する。
【００３３】
屋根瓦２２の左右中間に配置された第２引掛け部２３は、瓦上面２２ａに対して棟側（瓦尻側）に（９０＋α）度でもって倒れる状態に傾斜した座面２２ｚを
有しており、その座面２２ｚの左右中央で上角部に、留付け用釘孔２４を形成するためのポンチ穴的機能を発揮する位置決め用凹部２５が予め形成されている。そして、後に形成された釘穴２４に留め釘１０が打たれたときに大径の釘頭１０ａを座面２２ｚに確実に面接触させるため、瓦上面２２ａを下方に抉った凹まし部２６を形成して、座面２２ｚを屋根瓦２２の厚さ方向に延長させてある。
【００３４】
しかして、屋根瓦２２の交換が必要になると、先ず、現場にて位置決め用凹部２５にドリル刃先端を当ててのドリリングによって釘孔２４を穿孔（穿設）し、それから傷んだ屋根瓦に代えて釘孔２４の形成された屋根瓦２２を敷設し、上側の屋根瓦２２の瓦頭２２Ｂを少し待ち上げた状態で、釘孔２４を通して留め釘１０を打ち込むのである。
【００３５】
この手段によれば、屋根Ｙとして葺かれる屋根瓦２２の第２引掛け部２３には上下に貫通する孔が存在しないので、豪雨や台風といった激しい雨天時に、図１に示す屋根瓦１において、重なり部に滲入した水が釘孔５ａから瓦裏面側に及ぶおそれが解消されるようになる。
【００３６】
−第４実施形態−
図１０、図１１に示すように、左右に隣合う瓦どうしによる合決り部ｋに、孔軸心Ｐが瓦上面２７ａに対して軒側に向けて倒れる状態に傾斜する留付け用釘孔（又は留付け用ビス孔）２８を穿孔するための位置決め用凹部２９が形成された屋根瓦２７が示されている。この屋根瓦２７は、下側合決り部分１７の釘孔１８ａに代えて凹部２９が形成されている以外は、図４に示す第２実施形態のものと基本的には同じものであり、相違点についてのみ説明する。
【００３７】
この位置決め用凹部２９回りの形状・構造は、先に説明した第３実施形態のものと基本的に同じである。即ち、流れ止め部１８における軒側端に近い箇所に、瓦上面２７ａに対して角度β（図５参照）で後上り（棟側上り）する傾斜面となるように隆起させた座面１８ｚを形成し、かつ、座面１８ｚの左右中央で上角部に、該座面１８ｚと直交する方向の釘孔２８を穿孔するための位置決め用凹部２９を座面１８ｚに形成してある。そして、後に形成された釘孔２８に留め釘１０が打たれたときに大径の釘頭１０ａを座面１８ｚに確実に面接触させるため、瓦上面２７ａを下方に抉った凹まし部３１を形成して、座面１８ｚを屋根瓦２７の厚さ方向に延長させてある。
【００３８】
−第５実施形態−
図１２、図１３に示すように、第２引掛け部２３が存在する位置に、第２引掛け部２３を形成しない代わりに、瓦上面３４ａに位置決め用凹部３２と凹まし部３３とを形成した屋根瓦３４でも良い。凹まし部３３の棟側には、軒側に向かって倒れるように傾斜した平面部３３ａが形成してあり、位置決め用凹部３２からドリリングによって形成される釘孔２４を通して釘１０を打ち込んだ場合において、平面部３３ａが、釘１０の頭部１０ａが面接触する座面となるように設定されている。
【００３９】
−第６実施形態−
又、図１４、図１５に示すように、瓦上面１ａと受止め部３との隅部に位置決め用凹部３５を、かつ、その直ぐ軒側に座面用の凹まし部３６を夫々形成した構造の屋根瓦３７でも良い。凹まし部３６の棟側には、軒側に向かって倒れるように傾斜した平面部３６ａが形成してあり、位置決め用凹部３５からドリリングによって形成される釘孔２４を通して釘１０を打ち込んだ場合において、平面部３６ａが、釘１０の頭部１０ａが面接触する座面となるように設定されている。
【００４０】
このように、隅部に位置決め用凹部３５を形成すれば、釘孔２４を形成するときに、もし、ドリル刃が位置決め用凹部３５から逸れたとしても、そこは隅部であるから左右方向にドリル刃がずれることはあっても、人為操作力が作用する前後方向（ドリル刃の長手方向）には先ず移動しない。従って、ドリル刃が前後方向に滑ってから他物に衝突して、ドリル工具を押え付ける力が一気に掛かること
でドリル刃が折損するという不都合が回避され、施工し易いという利点がある。
【００４１】
〔別実施形態〕
上側厚板瓦１の若干の持ち上げによって釘打ち可能な傾斜釘孔５ａ，１８ａを、瓦尻１Ａと下側合決り部分１７との双方に形成するようにしても良い。又、それら傾斜釘孔５ａ，１８ａを複数箇所に形成するとか、全釘孔に適用する構造でも良い。留め釘１０に代えて、スクリュー、ビス等の螺子を用いても良い。
【００４２】
傾斜釘孔５ａ，１８ａの角度α，βは、上側瓦を許容持ち上げ範囲にて釘打ち可能となる値であれば良く、屋根瓦の寸法、厚み、重ね合せ構造、留め釘長さ等の要因に合わせて適宜に設定することが可能である。又、留め釘１０を長くすれば、傾斜釘孔５ａ，１８ａの下側孔出口を瓦尻１Ａの棟側側面に開口されるものに形成することも可能である。
【図面の簡単な説明】
【図１】  上側の厚板瓦が若干持ち上げられた状態の屋根を示す斜視図
【図２】  第１実施形態による屋根瓦の敷設状態、及び釘打ち作用を示す断面図
【図３】  瓦尻の釘打ち部を示し、（イ）は両側の釘打ち部、（ロ）は中央の釘打ち部
【図４】  合決り部を用いる第２実施形態による厚板瓦の屋根構造を示す斜視図
【図５】  図４の厚板瓦の重なり部の構造を示す拡大断面図
【図６】  図４の厚板瓦における合決り部を示す断面図
【図７】  第３実施形態による屋根瓦を示す斜視図
【図８】  図７の屋根瓦における位置決め用凹部を示す斜視図
【図９】  図８の位置決め用凹部に釘打ちした状態を示す要部の側面図
【図１０】  第４実施形態による屋根瓦を示す斜視図
【図１１】  図１０の位置決め用凹部に釘打ちした状態を示す要部斜視図
【図１２】  第５実施形態による屋根瓦の棟側部分を示す斜視図
【図１３】  図１２の位置決め用凹部に釘打ちした状態を示す要部の側面図
【図１４】  第６実施形態による屋根瓦の棟側部分を示す斜視図
【図１５】  図１４の位置決め用凹部に釘打ちした状態を示す要部の側面図
【符号の説明】
１，１５，２２                屋根瓦
１ａ，１５ａ，２２ａ          瓦上面
４ａ，５ａ，６ａ，２４        釘孔
５ｚ，２２ｚ                  座面
１０ａ                        釘頭部
１７                          下側合決り部分
１８ａ，２４                  釘孔
２５                          位置決め用凹部
ｋ                            合決り部
Ｐ                            孔軸心
【図１】
0004516709.tif 000002
【図２】
0004516709.tif 000003
【図３】
0004516709.tif 000004
【図４】
0004516709.tif 000005
【図５】
0004516709.tif 000006
【図６】
0004516709.tif 000007
【図７】
0004516709.tif 000008
【図８】
0004516709.tif 000009
【図９】
0004516709.tif 000010
【図１０】
0004516709.tif 000011
【図１１】
0004516709.tif 000012
【図１２】
0004516709.tif 000013
【図１３】
0004516709.tif 000014
【図１４】
0004516709.tif 000015
【図１５】
0004516709.tif 000016